(57)【要約】【課題】携帯端末と、それより大きなディスプレイを備える携帯端末と、を携帯する場合より、ある程度大きな画面で画像を視聴するための負担を軽減する。【解決手段】携帯端末１の裏面に設けられたインタフェース部７と、シートディスプレイ端末２の裏面に設けられたインタフェース部８ａと、を対面させた状態で、携帯端末１をシートディスプレイ端末２に重ねる。こうすることにより、携帯端末１とシートディスプレイ端末２とを、インタフェース部７とインタフェース８とを介した静電容量結合によって、電気的に接続する。【選択図】図４Ａ
2015061153.tif 000002
【特許請求の範囲】
【請求項１】
携帯端末と、シートディスプレイ端末と、を含み、
前記携帯端末は、
電源と、
前記シートディスプレイ端末に表示させる画像を表すピクセルデータを生成する生成部と、
前記シートディスプレイ端末との間の信号の送受信及び前記シートディスプレイ端末への前記電源に基づく電力の送信、に用いる第１インタフェース部と、
を備え、
前記第１インタフェース部を介して、前記ピクセルデータを前記シートディスプレイ端末に送信し、
前記シートディスプレイ端末は、
画像を表示するディスプレイ部と、
前記携帯端末との間の信号の送受信及び前記携帯端末からの電力の受信、に用いる第２インタフェース部と、
前記第２インタフェース部を介して受信された電力に基づいて、前記第２インタフェース部を介して受信された前記ピクセルデータが示す画像を、前記ディスプレイ部に表示させる表示制御部と、
を備え、
前記携帯端末の筐体の所定面中の、前記第１インタフェース部に対応する第１インタフェース領域と、前記シートディスプレイ端末の画像表示面の裏面中の、前記第２インタフェース部に対応する第２インタフェース領域と、が対面した状態で前記携帯端末が前記シートディスプレイ端末に重ねられることにより、前記携帯端末と前記シートディスプレイ端末とが、前記第１インタフェース部と前記第２インタフェース部とを介して、電気的に接続される、
画像表示システム。
【請求項２】
前記第１インタフェース領域及び前記第２インタフェース領域のうちの一方に、凸部が設けられ、
前記第１インタフェース領域及び前記第２インタフェース領域のうちの他方に、前記凸部の形状に応じた形状の凹部が設けられ、
前記凸部が前記凹部に嵌め込まれることにより、前記第１インタフェース領域と前記第２インタフェース領域とが対面した状態で前記携帯端末が前記シートディスプレイ端末に重ねられる、
請求項１に記載の画像表示システム。
【請求項３】
前記携帯端末と前記シートディスプレイ端末とは、
前記第１インタフェース部と前記第２インタフェース部とを介して、容量結合又は電磁結合により、信号の送受信が可能に接続される、
請求項１又は２に記載の画像表示システム。
【請求項４】
前記携帯端末と前記シートディスプレイ端末とは、
前記第１インタフェース部と前記第２インタフェース部とを介して、容量結合により、電力の送受信が可能に接続される、
請求項１乃至３のいずれかに記載の画像表示システム。
【請求項５】
前記携帯端末は、
画像を表示するディスプレイをさらに備え、
前記所定面は、前記携帯端末の筐体の画像表示面の裏面である、
請求項１乃至４のいずれかに記載の画像表示システム。
【請求項６】
前記第１インタフェース部又は前記第２インタフェース部は、
前記第１インタフェース部と前記第２インタフェース部との間に引力を発生させる引力発生部を備える、
請求項１乃至５のいずれかに記載の画像表示システム。
【請求項７】
前記シートディスプレイ端末は、
前記ディスプレイ部に表示される画像に要求されるフォーマットを示すフォーマットデータを、前記第２インタフェース部を介して、前記携帯端末に送信し、
前記生成部は、
前記第１インタフェース部を介して受信された前記フォーマットデータに基づいて、前記ピクセルデータを生成する、
請求項１乃至６のいずれかに記載の画像表示システム。
【請求項８】
前記シートディスプレイ端末に、前記第２インタフェース部が複数備えられ、
前記第１インタフェース領域と、複数の前記第２インタフェース部のうちのいずれかの前記第２インタフェース部に対応する前記第２インタフェース領域と、が対面した状態で前記携帯端末が前記シートディスレプレイ端末に重ねられることにより、前記携帯端末と前記シートディスプレイ端末とが、前記第１インタフェース部と該いずれかの第２インタフェース部とを介して、電気的に接続され、
前記シートディスプレイ端末は、
前記第１インタフェース領域と対面している前記第２インタフェース領域に応じた前記フォーマット信号を、前記携帯端末に送信する、
請求項７に記載の画像表示システム。
【請求項９】
前記シートディスプレイ端末は、
前記第２インタフェース部を介して、前記ディスプレイ部に画像を表示させるための基準電力を示すデータを、前記携帯端末に送信する、
請求項１乃至８のいずれかに記載の画像表示システム。
【請求項１０】
前記シートディスプレイ端末に、前記第２インタフェース部を介して受信された電力に基づく電圧を監視するモニタ部がさらに備えられ、
前記シートディスプレイ端末は、
前記モニタ部の監視結果に応じて、送信すべき電力の量の変更を指示するデータを、前記第２インタフェース部を介して前記携帯端末に送信する、
請求項９に記載の画像表示システム。
【請求項１１】
前記シートディスプレイ端末は、
前記第２インタフェース部を介して受信した電力を蓄積する二次電池をさらに備え、
前記表示制御部は、
前記携帯端末と前記シートディスプレイ端末との電気的な接続が解除された場合に、前記二次電池に蓄積された電力に基づいて、前記ピクセルデータにより示される画像を、前記ディスプレイ部に表示させる、
請求項１乃至１０のいずれかに記載の画像表示システム。
【請求項１２】
画像を表示するディスプレイ部を備えたシートディスプレイ端末であって、
電源、前記シートディスプレイ端末に表示させる画像を表すピクセルデータを生成する生成部、及び、前記ピクセルデータ及び前記電源に基づく電力の前記シートディスプレイ端末への送信に用いる第１インタフェース部、を備えた携帯端末からの前記データ信号及び電力の受信に用いる第２インタフェース部と、
前記第２インタフェース部を介して受信された電力に基づいて、前記第２インタフェース部を介して受信された前記ピクセルデータが示す画像を、前記ディスプレイ部に表示させる表示制御部と、
をさらに備え、
前記携帯端末の筐体の所定面中の、前記第１インタフェース部に対応する第１インタフェース領域と、自装置の画像表示面の裏面中の、前記第２インタフェース部に対応する第２インタフェース領域と、が対面した状態で前記携帯端末が自装置に重ねられることにより、前記第１インタフェース部と前記第２インタフェース部とを介して、前記携帯端末に電気的に接続される、
シートディスプレイ端末。
【請求項１３】
電源と、
信号及び電力の受信に用いる第２インタフェース部を備えたシートディスプレイ端末、に表示させる画像を表すピクセルデータを生成する生成部と、
前記ピクセルデータ及び前記電源に基づく電力の前記シートディスプレイ端末への送信、に用いる第１インタフェース部と、
を備え、
自装置の筐体の所定面中の、前記第１インタフェース部に対応する第１インタフェース領域と、前記シートディスプレイ端末の画像表示面の裏面中の、前記第２インタフェース部に対応する第２インタフェース領域と、が対面した状態で前記シートディスプレイ端末に重ねられることにより、前記第１インタフェース部と前記第２インタフェース部とを介して、前記シートディプレイ端末に電気的に接続される、
携帯端末。
【発明の詳細な説明】
【技術分野】
【０００１】
本発明は、画像表示システム、シートディスプレイ端末、及び携帯端末に関する。
【背景技術】
【０００２】
下記特許文献１には、コンピュータが取得した画像を、コンピュータとは別体のモニタに表示する技術が記載されている。特許文献１では、コンピュータとモニタとがＵＳＢ（Universal Serial Bus）ケーブルによって電気的に接続されており、画像のデータがＵＳＢケーブルによってモニタに供給される。
【先行技術文献】
【特許文献】
【０００３】
【特許文献１】特開２０１３−８０３６号公報
【発明の概要】
【発明が解決しようとする課題】
【０００４】
ところで、頻繁に利用されるメインの携帯端末（例えば、スマートフォン）を、それより大きなディスプレイを備えるサブの携帯端末（例えば、タブレット端末）とともに携帯することが一般的となっている。
【０００５】
メインの携帯端末に加えてサブの携帯端末を携帯する利点は、画像をある程度大きな画面で視聴できる点にあるが、一方で、携帯端末を二台携帯するのは重量の面で負担が大きい。
【０００６】
そこで、サブの携帯端末をメインの携帯端末より大きなディスプレイを備えたシートディスプレイ端末で代替し、メインの携帯端末が、シートディスプレイ端末に表示させる画像のデータを生成するとともに、該データ及び電力をシートディスプレイ端末に供給することが考えられる。サブの携帯端末を、画像のデータを生成する回路やバッテリーを備えないシートディスプレイ端末に代替すれば、携帯端末を二台携帯するよりも重量の面で負担を軽減できるからである。また、こうしても、ユーザは、ある程度大きな画面で画像を視聴することができる。
【０００７】
なお、メインの携帯端末とシートディスプレイ端末との電気的な接続は、できるだけ簡便に行われることが望ましい。
【０００８】
本発明の目的は、携帯端末と、それより大きなディスプレイを備える携帯端末と、を携帯する場合より、ある程度大きな画面で画像を視聴するための負担を軽減することである。
【課題を解決するための手段】
【０００９】
上記課題を解決するために、本発明に係る画像表示システムは、携帯端末と、シートディスプレイ端末と、を含み、前記携帯端末は、電源と、前記シートディスプレイ端末に表示させる画像を表すピクセルデータを生成する生成部と、前記シートディスプレイ端末との間の信号の送受信及び前記シートディスプレイ端末への前記電源に基づく電力の送信、に用いる第１インタフェース部と、を備え、前記第１インタフェース部を介して、前記ピクセルデータを前記シートディスプレイ端末に送信し、前記シートディスプレイ端末は、画像を表示するディスプレイ部と、前記携帯端末との間の信号の送受信及び前記携帯端末からの電力の受信、に用いる第２インタフェース部と、前記第２インタフェース部を介して受信された電力に基づいて、前記第２インタフェース部を介して受信された前記ピクセルデータが示す画像を、前記ディスプレイ部に表示させる表示制御部と、を備え、前記携帯端末の筐体の所定面中の、前記第１インタフェース部に対応する第１インタフェース領域と、前記シートディスプレイ端末の画像表示面の裏面中の、前記第２インタフェース部に対応する第２インタフェース領域と、が対面した状態で前記携帯端末が前記シートディスプレイ端末に重ねられることにより、前記携帯端末と前記シートディスプレイ端末とが、前記第１インタフェース部と前記第２インタフェース部とを介して、電気的に接続される。
【００１０】
ここで、前記第１インタフェース領域及び前記第２インタフェース領域のうちの一方に、凸部が設けられ、前記第１インタフェース領域及び前記第２インタフェース領域のうちの他方に、前記凸部の形状に応じた形状の凹部が設けられ、前記凸部が前記凹部に嵌め込まれることにより、前記第１インタフェース領域と前記第２インタフェース領域とが対面した状態で前記携帯端末が前記シートディスプレイ端末に重ねられてよい。
【００１１】
また、前記携帯端末と前記シートディスプレイ端末とは、前記第１インタフェース部と前記第２インタフェース部とを介して、容量結合又は電磁結合により、信号の送受信が可能に接続されてよい。
【００１２】
また、前記携帯端末と前記シートディスプレイ端末とは、前記第１インタフェース部と前記第２インタフェース部とを介して、容量結合により、電力の送受信が可能に接続されてよい。
【００１３】
また、前記携帯端末は、画像を表示するディスプレイをさらに備え、前記所定面は、前記携帯端末の筐体の画像表示面の裏面であってもよい。
【００１４】
また、前記第１インタフェース部又は前記第２インタフェース部は、前記第１インタフェース部と前記第２インタフェース部との間に引力を発生させる引力発生部を備えていてもよい。
【００１５】
また、前記シートディスプレイ端末は、前記ディスプレイ部に表示される画像に要求されるフォーマットを示すフォーマットデータを、前記第２インタフェース部を介して、前記携帯端末に送信し、前記生成部は、前記第１インタフェース部を介して受信された前記フォーマットデータに基づいて、前記ピクセルデータを生成してもよい。
【００１６】
また、前記シートディスプレイ端末に、前記第２インタフェース部が複数備えられ、前記第１インタフェース領域と、複数の前記第２インタフェース部のうちのいずれかの前記第２インタフェース部に対応する前記第２インタフェース領域と、が対面した状態で前記携帯端末が前記シートディスレプレイ端末に重ねられることにより、前記携帯端末と前記シートディスプレイ端末とが、前記第１インタフェース部と該いずれかの第２インタフェース部とを介して、電気的に接続され、前記シートディスプレイ端末は、前記第１インタフェース領域と対面している前記第２インタフェース領域に応じた前記フォーマット信号を、前記携帯端末に送信してもよい。
【００１７】
また、前記シートディスプレイ端末は、前記第２インタフェース部を介して、前記ディスプレイ部に画像を表示させるための基準電力を示すデータを、前記携帯端末に送信してもよい。
【００１８】
また、前記シートディスプレイ端末に、前記第２インタフェース部を介して受信された電力に基づく電圧を監視するモニタ部がさらに備えられ、前記シートディスプレイ端末は、前記モニタ部の監視結果に応じて、送信すべき電力の量の変更を指示するデータを、前記第２インタフェース部を介して前記携帯端末に送信してもよい。
【００１９】
また、前記シートディスプレイ端末は、前記第２インタフェース部を介して受信した電力を蓄積する二次電池をさらに備え、前記表示制御部は、前記携帯端末と前記シートディスプレイ端末との電気的な接続が解除された場合に、前記二次電池に蓄積された電力に基づいて、前記ピクセルデータにより示される画像を、前記ディスプレイ部に表示させてもよい。
【００２０】
また、上記課題を解決するために、本発明に係るシートディスプレイ端末は、画像を表示するディスプレイ部を備えたシートディスプレイ端末であって、電源、前記シートディスプレイ端末に表示させる画像を表すピクセルデータを生成する生成部、及び、前記ピクセルデータ及び前記電源に基づく電力の前記シートディスプレイ端末への送信に用いる第１インタフェース部、を備えた携帯端末からの前記データ信号及び電力の受信に用いる第２インタフェース部と、前記第２インタフェース部を介して受信された電力に基づいて、前記第２インタフェース部を介して受信された前記ピクセルデータが示す画像を、前記ディスプレイ部に表示させる表示制御部と、をさらに備え、前記携帯端末の筐体の所定面中の、前記第１インタフェース部に対応する第１インタフェース領域と、自装置の画像表示面の裏面中の、前記第２インタフェース部に対応する第２インタフェース領域と、が対面した状態で前記携帯端末が自装置に重ねられることにより、前記第１インタフェース部と前記第２インタフェース部とを介して、前記携帯端末に電気的に接続される。
【００２１】
また、上記課題を解決するために、本発明に係る携帯端末は、電源と、信号及び電力の受信に用いる第２インタフェース部を備えたシートディスプレイ端末、に表示させる画像を表すピクセルデータを生成する生成部と、前記ピクセルデータ及び前記電源に基づく電力の前記シートディスプレイ端末への送信、に用いる第１インタフェース部と、を備え、自装置の筐体の所定面中の、前記第１インタフェース部に対応する第１インタフェース領域と、前記シートディスプレイ端末の画像表示面の裏面中の、前記第２インタフェース部に対応する第２インタフェース領域と、が対面した状態で前記シートディスプレイ端末に重ねられることにより、前記第１インタフェース部と前記第２インタフェース部とを介して、前記シートディプレイ端末に電気的に接続される。
【図面の簡単な説明】
【００２２】
【図１】本実施形態に係る画像表示システムの構成を示す図である。
【図２】携帯端末に備えられるインタフェース部を示す図である。
【図３】シートディスプレイ端末に備えられるインタフェース部を示す図である。
【図４Ａ】携帯端末とシートディスプレイ端末とが電気的に接続された状態の例を示す図である。
【図４Ｂ】携帯端末とシートディスプレイ端末とが電気的に接続された状態の例を示す図である。
【図５】携帯端末の構成要素を示す図である。
【図６】シートディスプレイ端末の構成要素を示す図である。
【図７Ａ】携帯端末に備えられるインタフェース部の構成を示す図である。
【図７Ｂ】携帯端末に備えられるインタフェース部の構成を示す図である。
【図８Ａ】シートディスプレイ端末に備えられるインタフェース部の構成を示す図である。
【図８Ｂ】シートディスプレイ端末に備えられるインタフェース部の構成を示す図である。
【図９】携帯端末とシートディスプレイ端末とが電気的に接続された場合における、携帯端末及びシートディスプレイ端末の動作を説明するための図である。
【図１０】携帯端末とシートディスプレイ端末とが電気的に接続された場合における、携帯端末及びシートディスプレイ端末の動作を説明するための図である。
【図１１Ａ】画素フォーマットＡでのピクセルデータを示す図である。
【図１１Ｂ】画素フォーマットＢでのピクセルデータを示す図である。
【図１２】シートディスプレイ端末の構成要素を示す図である。
【図１３】シートディスプレイ端末の構成要素を示す図である。
【発明を実施するための形態】
【００２３】
以下、本発明の実施形態の例について図面に基づき詳細に説明する。
【００２４】
図１は、本発明の実施形態に係る画像表示システム１００の構成を示す図である。同図に示すように、画像表示システム１００は、携帯端末１と、シートディスプレイ端末２と、を含む。シートディスプレイ端末２は、携帯端末１が取得した画像を視聴するために用いられ、携帯端末１とともにユーザに携帯される。
【００２５】
本実施形態の場合、携帯端末１は、携帯電話として実現される。携帯端末１は、液晶ディスプレイ３を備える。液晶ディスプレイ３と不図示のタッチパッドとによりタッチスクリーンが実現されている。また、携帯端末１は、携帯端末１をシートディスプレイ端末２と電気的に接続するためのインタフェース部７を備える。図２は、インタフェース部７を示す図である。インタフェース部７は、矩形形状を有し、携帯端末１の筐体の画像表示面（液晶ディスプレイ３が備えられた面）の裏面中のインタフェース領域５に設けられる。
【００２６】
一方、シートディスプレイ端末２は、液晶ディスプレイ３より大きいディスプレイ４（ここでは、有機ＥＬディスプレイ）を備える（図１参照）。ディスプレイ４と不図示のタッチパッドとによりタッチスクリーンが実現されている。また、シートディスプレイ端末２は、シートディスプレイ端末２を携帯端末１と電気的に接続するためのインタフェース部８を８つ備える。図３は、インタフェース部８を示す図である。図３に示すように、各インタフェース部８は、インタフェース部７（図３参照）と同形状を有し、画像表示面（ディスプレイ４が備えられた面）の裏面中の８つのインタフェース領域６に設けられる。本実施形態の場合、各インタフェース部８は、シートディスプレイ端末２の中心に対して点対称に配置される。図３では、シートディスプレイ端末２の長辺付近のインタフェース部８をインタフェース部８ａと表記し、シートディスプレイ端末２の短辺付近のインタフェース部８をインタフェース部８ｂと表記している。
【００２７】
この画像表示システム１００では、所定条件下、携帯端末１とシートディスプレイ端末２とが、インタフェース部７及びインタフェース部８とを介して電気的に接続される。すなわち、インタフェース領域５（図２参照）といずれかのインタフェース領域６（図３参照）とを対面させた状態で、携帯端末１がシートディスプレイ端末２に重ねられると（後述する図４Ａ及び図４Ｂ参照）、インタフェース部７と該インタフェース領域６に設けられたインタフェース部８とを介して、携帯端末１とシートディスプレイ端末２とが、電気的に接続される。ユーザは、インタフェース部７をいずれかのインタフェース部８に重ね合わせるだけで、携帯端末１とシートディスプレイ端末２とを電気的に接続できる。
【００２８】
図４Ａ及び図４Ｂは、携帯端末１とシートディスプレイ端末２とが電気的に接続された状態の例を示している。図４Ａでは、インタフェース部７とインタフェース部８ａとを重ね合わせた状態で、携帯端末１がシートディスプレイ端末２に重ねられている。この場合、シートディスプレイ端末２は、通常、縦向きで保持される。また、図４Ｂでは、インタフェース部７とインタフェース部８ｂとを重ね合わせた状態で、携帯端末１がシートディスプレイ端末２に重ねられている。この場合、シートディスプレイ端末２は、通常、横向きで保持される。
【００２９】
図５は、携帯端末１の構成要素を示す構成図である。同図に示すように、携帯端末１は、液晶ディスプレイ３及びインタフェース部７の他、ドライバＬＳＩ９と、マイクロプロセッサ１１と、二次電池１３と、メモリ１５と、無線インタフェース１７と、信号処理回路１９と、制御回路２１と、を備える。マイクロプロセッサ１１、メモリ１５、信号処理回路１９、及び制御回路２１は、バスに接続されている。
【００３０】
図６は、シートディスプレイ端末２の構成要素を示す構成図である。シートディスプレイ端末２は、ディスプレイ４と８つのインタフェース部８の他、ドライバＬＳＩ１０と、制御回路１２と、を備える。これらは、フレキシブル基板上に設けられている。但し、インタフェース部８は、他の構成要素とは反対の面に設けられている。シートディスプレイ端末２の構成は、画像の表示に特化しており、二次電池１３のような電源装置や信号処理回路１９のような信号処理装置が備えられていない。そのため、非常に軽量になっており、携帯性に優れている。
【００３１】
携帯端末１は、例えばストリーム配信される画像を取得する。すなわち、アンテナである無線インタフェース１７が、ストリーム配信される画像を示す電気信号を受信するとともに、信号処理回路１９が、この電気信号を復調し、復調で得られた表示データを、マイクロプロセッサ１１に出力する。
【００３２】
そして、携帯端末１は、取得した画像を液晶ディスプレイ３に表示させる。すなわち、携帯端末１は、まず、取得した画像を示すピクセルデータを生成する。具体的には、マイクロプロセッサ１１（生成部）が、メモリ１５に記憶されるプログラムに従い、信号処理回路１９から受け取った表示データからピクセルデータを生成し、生成したピクセルデータをドライバＬＳＩ９に出力する。ピクセルデータには、各画素の画素値が含まれる。そして、携帯端末１は、取得した画像を液晶ディスプレイ３に表示させる。具体的には、ドライバＬＳＩ９が、二次電池１３より供給される電力に基づいて、ピクセルデータが表す画像を、液晶ディプレイ３に表示させる。
【００３３】
但し、携帯端末１は、携帯端末１とシートディスプレイ端末２とが電気的に接続されている場合、取得した画像をシートディスプレイ端末２に表示させる。すなわち、携帯端末１は、インタフェース部７を介して、ピクセルデータをシートディスプレイ端末２に送信する。具体的には、制御回路２１が、ピクセルデータのデジタル信号をインタフェース部７へと出力する。また、携帯端末１は、インタフェース部７を介して、二次電池１３に基づく電力をシートディスプレイ端末２に送信する。具体的には、制御回路２１が、ディスプレイ４に備えられる発光手段（ここでは、有機ＥＬ素子）を点灯させるための電力（以下、点灯用電力と表記する）をシートディスプレイ端末２に送信する。また、制御回路２１が、ディスプレイ４の各画素を駆動するための電力（以下、駆動用電力と表記する）をシートディスプレイ端末２に送信する。
【００３４】
このように、携帯端末１は、携帯端末１とシートディスプレイ端末２とが電気的に接続されている場合、インタフェース部７を介して、ピクセルデータや電力をシートディスプレイ端末２に供給する。上述のように、ユーザは、インタフェース部７をいずれかのインタフェース部８に重ね合わせることで、携帯端末１とシートディスプレイ端末２とを電気的に接続できる。従って、ユーザは、携帯端末１で取得した画像を、簡単な作業で、シートディスプレイ端末２で視聴できる。
【００３５】
なお、シートディスプレイ端末２では、インタフェース部８を介し受信されたピクセルデータ及び電力が制御回路１２に入力される。制御回路１２及びドライバＬＳＩ１０（表示制御部）は、入力された電力に基づいて、ピクセルデータが表す画像を、ディスプレイ４に表示させる。すなわち、制御回路１２が、ピクセルデータ及び駆動用電力をドライバＬＳＩ１０へと出力し、ドライバＬＳＩ１０が、駆動用電力に基づいて、ピクセルデータ中の画素値を映像信号に変換し、ディスプレイ４内の各画素に映像信号を供給する。また、制御回路１２は、点灯用電力に基づいて、発光手段を点灯するための直流の点灯用電圧を、ディスプレイ４に備えられた発光手段に供給する。
【００３６】
図７Ａ、図７Ｂ、図８Ａ、及び図８Ｂは、携帯端末１とシートディスプレイ端末２とを電気的に接続するための、インタフェース部７及びインタフェース部８の構成を説明するための図である。
【００３７】
まず、図７Ａ及び図７Ｂについて説明する。図７Ａは、携帯端末１に備えられるインタフェース部７の構成を示す図であり、図７Ｂは、インタフェース部７のＩ−Ｉ線での断面図である。符号２３は、携帯端末１の筐体の壁を示している。壁２３の右側が筐体の外側になり、左側が内側になる。同図に示すように、インタフェース部７は、点灯用電力送信用端子７Ｂと、２つの駆動用電力送信用端子７Ｃと、２つの信号送受用端子７Ｄと、を備える。これらは、保護絶縁膜７Ａにより覆われている。点灯用電力送信用端子７Ｂは、点灯用電力を送信するための端子であり、点灯用電力が入力される。点灯用電力送信用端子７Ｂは、インタフェース部７の中央に設けられ、２つの電極が備えられる。また、駆動用電力送信用端子７Ｃは、駆動用電力を送信するための端子であり、駆動用電力が入力される。駆動用電力送信用端子７Ｃには、２つの電極が備えられる。また、信号送受用端子７Ｄは、信号を送信したり受信したりするための端子であり、上述したピクセルデータなどが入力される。信号送受用端子７Ｄには、２つの電極が備えられる。
【００３８】
本実施形態では、点灯用電力送信用端子７Ｂは、電力定格を上げるため、駆動用電力端子７Ｃよりサイズが大きい。また、本実施形態の場合、データの転送レートを上げるため、一方の信号送受用端子７Ｄが信号の送信用に用いられ、他方の信号送受用端子７Ｄが、信号の受信用に用いられる。
【００３９】
また、インタフェース部７は、筐体の内側に磁性体７Ｅを備えている。磁性体７Ｅは、その一部に、インタフェース部７とインタフェース部８との間に引力を発生させるための電磁石部７Ｇを含む。電磁石部７Ｇには、コイルが巻かれている。
【００４０】
また、インタフェース部７は、保護絶縁膜７Ａの表面に２つの凸部７Ｆをさらに備えている。凸部７Ｆの意義については後述する。
【００４１】
次に、図８Ａ及び図８Ｂについて説明する。図８Ａは、シートディスプレイ端末２に備えられるインタフェース部８の構成を示す図であり、図８Ｂは、インタフェース部８のＩＩ−ＩＩ線での断面図である。符号１４は、フレキシブル基板を示している。同図に示すように、インタフェース部８は、点灯用電力受信用端子８Ｂと、駆動用電力受信用端子８Ｃと、信号送受用端子８Ｄと、を備える。これらは、絶縁体である保護フィルム８Ａに覆われている。点灯用電力受信用端子８Ｂは、点灯用電力を受信するための端子である。また、点灯用電力受信用端子８Ｂは、インタフェース部８の中央に設けられ、２つの電極が備えられる。また、駆動用電力受信用端子８Ｃは、駆動用電力を受信するための端子である。駆動用電力受信用端子８Ｃには、２つの電極が備えられる。また、信号送受用端子８Ｄは、信号を送信したり受信したりするための端子である。信号送受用端子８Ｄには、２つの電極が備えられる。信号送受用端子８Ｄを介して、例えばピクセルデータが受信されたり、例えばユーザが指示したタッチスクリーン内の位置の位置座標が送信されたりする。
【００４２】
また、インタフェース部８は、点灯用電力受信用端子８Ｂ等とは反対側に磁性体８Ｅをさらに備えている。電磁石部７Ｇにより、磁性体７Ｅと磁性体８Ｅとの間に磁力が発生する。
【００４３】
また、インタフェース部８は、保護フィルム８Ａの表面に、２つの凹部８Ｆをさらに備えている。凹部８Ｆは凸部７Ｆの形状に応じた形状を有しており、各凸部７Ｆが凹部８Ｆに嵌め込まれることによって、携帯端末１がシートディスプレイ端末２に重ねられ、固定される。その結果として、インタフェース部７とインタフェース部８とを介し、携帯端末１とシートディスプレイ端末２とが電気的に接続される。すなわち、点灯用電力送信用端子７Ｂと点灯用電力受信用端子８Ｂとでコンデンサが形成され、静電容量結合によって、携帯端末１とシートディスプレイ端末２とが、点灯用電力の送受信が可能に、接続される。また、駆動用電力送信用端子７Ｃと駆動用電力受信用端子８Ｃとでコンデンサが形成され、静電容量結合によって、携帯端末１とシートディスプレイ端末２とが、駆動用電力の送受信が可能に、接続される。また、信号送受用端子７Ｄと信号送受用端子８Ｄとでコンデンサが形成され、静電容量結合によって、携帯端末１とシートディスプレイ端末２とが、信号の送受信が可能に、接続される。
【００４４】
なお、静電容量結合ではなく電磁結合によって、携帯端末１とシートディスプレイ端末２とが、信号の送受信が可能に接続されてもよい。この場合、信号送受用端子７Ｄと信号送受用端子８Ｄとに、電極ではなくコイルを備えさせればよい。
【００４５】
図９及び図１０は、携帯端末１とシートディスプレイ端末２とが電気的に接続された場合における、携帯端末１及びシートディスプレイ端末２の動作を説明するための図である。なお、以下、インタフェース部７と重ね合わされたインタフェース部８のことをインタフェース部８Ｘと表記する。
【００４６】
まず、携帯端末１は、シートディスプレイ端末２を起動するための起動信号を、信号送受用端子７Ｄを介して、シートディスプレイ端末２に送信する（Ｓ１０１）。具体的には、図１０に示すように、制御回路２１（図５参照）が、起動信号を、信号送受信用端子７Ｄに出力する。起動信号は、インタフェース部８Ｘの信号送受信用端子８Ｄ（図８Ａ参照）を介して受信され、シートディスプレイ端末２が起動状態となる。
【００４７】
また、携帯端末１は、駆動用電力のシートディスプレイ端末２への送信を開始する（Ｓ１０２）。具体的には、図１０に示すように、制御回路２１（図５参照）が、二次電池１３より供給される電力に基づき、駆動用電力を、駆動用電力送信用端子７Ｃに出力する。駆動用電力は、インタフェース部８Ｘの駆動用電力受信用端子８Ｃ（図８Ａ参照）を介して受信され、制御回路１２（図６参照）に入力される。
【００４８】
そして、起動状態となったシートディスプレイ端末２が、ディスプレイ４に表示される画像に要求される画素フォーマットを示すフォーマットデータを、インタフェース部８Ｘの信号送受用端子８Ｄを介して、携帯端末１に送信する（Ｓ１０３）。具体的には、図１０に示すように、制御回路１２（図６参照）が、フォーマットデータのデジタル信号を、インタフェース部８Ｘの信号送受用端子８Ｄに出力する。
【００４９】
ここで、シートディスプレイ端末２は、インタフェース部７と重ね合わされたインタフェース部８に応じたフォーマットデータを送信する。より詳しくは、シートディスプレイ端末２は、インタフェース部８Ｘがインタフェース部８ａ（図４Ａ参照）である場合、画素フォーマットＡを示すフォーマットデータＡを送信し、インタフェース部８Ｘがインタフェース部インタフェース部８ｂ（図４Ｂ参照）である場合、画素フォーマットＢを示すフォーマットデータＢを送信する。シートディスプレイ端末２が縦向きに保持されている場合（図４Ａ参照）、フォーマットデータＡが送信される。また、シートディスプレイ端末２が横向きに保持されている場合（図４Ｂ参照）、フォーマットデータＢが送信される。
【００５０】
信号送受用端子７Ｄを介して受信されたフォーマットデータは、制御回路２１を経て、マイクロプロセッサ１１に入力される。以後、マイクロプロセッサ１１は、フォーマットデータにより示される画素フォーマットでピクセルデータを生成する。図１１Ａは、画素フォーマットＡでのピクセルデータを示し、図１１Ｂは、画素フォーマットＢでのピクセルデータを示す。両図に示すように、フォーマットデータが画素フォーマットＡを示す場合、縦長の画素フォーマットでピクセルデータが生成され、フォーマットデータが画素フォーマットＢを示す場合、横長の画素フォーマットでピクセルデータが生成される。そのため、シートディスプレイ端末２の向きに応じて、画像のアスペクト比が変化するようになる。
【００５１】
Ｓ１０３でフォーマットデータを送信すると、シートディスプレイ端末２は、発光手段を点灯させるために必要な基準電力（電力量）を指示する基準電力指示データを、インタフェース部８Ｘの信号送受用端子８Ｄを介して、携帯端末１に送信する（Ｓ１０４）。具体的には、図１０に示すように、制御回路１２が、インタフェース部８Ｘの信号送受用端子８Ｄに、基準電力指示データのデジタル信号を出力する。基準電力は予め定められている。基準電力指示データは、信号送受用端子７Ｄを介して受信され、制御回路２１に入力される。
【００５２】
基準電力指示データを受信すると、携帯端末１は、電磁石部７Ｇ（図７Ａ及び図７Ｂ参照）を駆動させる（Ｓ１０５）。具体的には、制御回路２１が、電磁石部７Ｇに巻かれたコイルに駆動電流を供給する。こうして、携帯端末１は、インタフェース部７とインタフェース部８Ｘとの間に、引力を発生させる。
【００５３】
そして、携帯端末１は、ピクセルデータのシートディスプレイ端末２への送信を開始する（Ｓ１０６）。具体的には、図１２に示すように、制御回路２１が、マイクロプロセッサ１１がピクセルデータを生成するたびに、生成されたピクセルデータのデジタル信号を、信号送受用端子７Ｄに出力する。ピクセルデータは、インタフェース部８Ｘの信号送受用端子８Ｄを介して受信され、制御回路１２に入力される。
【００５４】
また、携帯端末１は、点灯用電力のシートディスプレイ端末２への送信を開始する（Ｓ１０７）。具体的には、図１０に示すように、制御回路２１が、二次電池１３により供給される電力に基づいて、基準電力指示データにより指示される基準電力に応じた量の電力を、点灯用電力として点灯用電力送信用端子７Ｂに出力する。点灯用電力は、インタフェース部８Ｘの点灯用電力受信用端子８Ｂを介して受信され、制御回路１２に入力される。制御回路１２は、点灯用電力に基づいて、点灯用電圧をディスプレイ４に備えられる発光手段に供給する。
【００５５】
なお、携帯端末１から送信された点灯用電力がロスされることなく受信されるとは限らない。そこで、制御回路１２は、発光手段の点灯中、点灯用電圧が発光手段を点灯させるのに必要な定電圧を下回っているかどうか監視し、点灯用電圧が上記定電圧を下回っている場合、図１０に示すように、点灯用電力の量の増加を指示する増加指示データを、インタフェース部８Ｘの信号送受用端子８Ｄに出力する。こうして、制御回路１２は、携帯端末１（正確には、制御回路２１）に点灯用電力の増加を指示し、これにより、点灯用電圧が上記定電圧を下回らないようにすることを可能にしている。
【００５６】
以上のように、画像表示システム１００では、携帯端末１が、ピクセルデータを生成し、ピクセルデータ及び電力をシートディスプレイ端末２に供給する。そのため、シートディスプレイ端末２に信号処理回路１９や二次電池１３を備えさせなくてもよい。従って、ある程度大きな画面で画像を視聴できるようにすることを、携帯端末１と、ディスプレイ４と同程度の大きさのディスプレイを有する携帯端末と、を携帯する場合より少ない負担で実現できる。また、画像表示システム１００では、インタフェース部７をいずれかのインタフェース部８に重ね合わせることで、携帯端末１とシートディスプレイ端末２とが電気的に接続される。そのため、ユーザは、簡単な作業で、携帯端末１とシートディスプレイ端末２とを電気的に接続できる。
【００５７】
また、この画像表示システム１００では、凸部７Ｆを凹部８Ｆに嵌め込むことにより、インタフェース部７がインタフェース部８に重ね合わされる。そのため、インタフェース部７の位置がインタフェース部８に対してずれるようなことがないように図ることもできる。なお、凸部７Ｆがインタフェース部８に備えられ、且つ、凹部８Ｆがインタフェース部７に備えられてもよい。
【００５８】
また、この画像表示システム１００では、電磁石部７Ｇにより、インタフェース部７とインタフェース部８との間に引力が発生する。そのため、インタフェース部７とインタフェース部８とが誤って離れることがないように図ることもできる。なお、インタフェース部７とインタフェース部８との間に引力を発生させる電磁石部７Ｇが、インタフェース部８に備えられてもよい。また、電磁石部７Ｇの代わりに、永久磁石が用いられてもよい。
【００５９】
なお、本発明の実施形態は、上記実施形態だけに限らない。
【００６０】
例えば、シートディスプレイ端末２に備えられるディスプレイ４は、液晶ディスプレイであってもよい。この場合、バックライトが発光手段に相当する。
【００６１】
また、例えば、シートディスプレイ端末２に、点灯用電力受信用端子８Ｂを介して受信した電力を蓄積する小容量のバックアップ用二次電池（例えば、薄膜二次電池）を備えさせてもよい。そして、携帯端末１とシートディスプレイ端末２との電気的な接続が解除された場合、シートディスプレイ端末２が、バックアップ用二次電池に蓄積された電力に基づいて、点灯用電圧を発光手段に供給してもよい。こうすれば、携帯端末１とシートディスプレイ端末２との電気的な接続が解除された場合に、ブラックアウトが発生することを抑止しつつ、ホールド表示することができる。図１２は、この態様を説明するための図であり、この態様におけるシートディスプレイ端末２の構成要素を示す図である。同図に示すように、シートディスプレイ端末２にバックアップ用二次電池１６がさらに備えられる。この態様では、制御回路１２は、携帯端末１とシートディスプレイ端末２とが電気的に接続されている間、点灯用電力受信用端子８Ｂを介して受信した点灯用電力をバックアップ用二次電池１６に出力し、点灯用電力をバックアップ用二次電池１４に充電することも行う。こうした上で、制御部１２が、携帯端末１とシートディスプレイ端末２との電気的な接続が解除された場合に、バックアップ用二次電池１６に蓄積された電力に基づいて、点灯用電圧を発光手段に供給すればよい。
【００６２】
また、例えば、画像の取得をシートディスプレイ端末２が行ってもよい。すなわち、シートディスプレイ端末２に、内蔵アンテナを備えさせてもよい。図１３は、この態様を説明するための図であり、この態様におけるシートディスプレイ端末２の構成要素を示す図である。同図に示すように、シートディスプレイ端末２に、制御回路１２に接続された内蔵アンテナ１８がさらに備えられる。この態様では、内蔵アンテナ１８が、ストリーム配信される画像を示す電気信号を受信するとともに、制御回路１２が、この電気信号を信号送受用端子８Ｄに出力し、携帯端末１に送信する。携帯端末１では、この電気信号が、信号送受用端子７Ｄを介して制御回路２１に入力され、制御回路２１が、この電気信号を信号処理回路１９に出力する。そして、信号処理回路１９にてこの電気信号が復調され、マイクロプロセッサ１１にてピクセルデータが生成されることとなる。この態様では、無線インタフェース１７（図５参照）だけでなく、内蔵アンテナ１８も、外部からの画像の取得に用いられる。そのため、より多くのデータを受信できるようになり、ストリーム配信される画像の表示をよりスムーズに行うことが可能になる。
【符号の説明】
【００６３】
１  携帯端末、２  シートディスプレイ端末、３  液晶ディスプレイ、４  ディスプレイ、５、６  インタフェース領域、７，８，８ａ，８ｂ  インタフェース部、７Ａ  保護絶縁膜、７Ｂ、点灯用電力送信用端子、７Ｃ  駆動用電力送信用端子、７Ｄ，８Ｄ  信号送受用端子、７Ｅ，８Ｅ  磁性体、７Ｆ  凸部、７Ｇ  電磁石部、８Ａ  保護フィルム、８Ｂ  点灯用電力受信用端子、８Ｃ  駆動用電力受信用端子、８Ｆ  凹部、９，１０  ドライバＬＳＩ、１１  マイクロプロセッサ、１２，２１  制御回路、１３  二次電池、１４  フレキシブル基板、１５  メモリ、１６  バックアップ用二次電池、１８  内蔵アンテナ、１７  無線インタフェース、１９  信号処理回路、２３  筐体の壁、１００  画像表示システム。
【図１】
2015061153.tif 000003
【図２】
2015061153.tif 000004
【図３】
2015061153.tif 000005
【図４Ａ】
2015061153.tif 000006
【図４Ｂ】
2015061153.tif 000007
【図５】
2015061153.tif 000008
【図６】
2015061153.tif 000009
【図７Ａ】
2015061153.tif 000010
【図７Ｂ】
2015061153.tif 000011
【図８Ａ】
2015061153.tif 000012
【図８Ｂ】
2015061153.tif 000013
【図９】
2015061153.tif 000014
【図１０】
2015061153.tif 000015
【図１１Ａ】
2015061153.tif 000016
【図１１Ｂ】
2015061153.tif 000017
【図１２】
2015061153.tif 000018
【図１３】
2015061153.tif 000019